(57)【特許請求の範囲】
【請求項１】
前面側に開口部を有する袋本体（１）と、集塵口（２１）を有する台紙（２）とを備え、
袋本体（１）と台紙（２）とが、両者の開口部と集塵口（２１）とを位置合わせして、取付けられ、
台紙（２）を複数メーカーの複数機種の電気掃除機に設けられた集塵室の取り付け箇所に着脱自在に装着して使用できるようにした電気掃除機用の多機種共用型集塵袋において、
上下方向の長さを調整する調整手段（３、４、５、５、６）が台紙の上辺と下辺にそれぞれ設けられ、
左右方向の長さを調整する調整手段（７、８）が台紙の左辺と右辺にそれぞれ設けられ、
上下方向の長さを調整する調整手段は、上切り取り片（３、４、５、５）と下切り取り片（６）であり、
上切り取り片（３、４、５、５）は、台紙（２）の上辺に複数個が上下方向に順次設けられ、各上切り取り片（３、４、５、５）を順次切り取ることにより、台紙（２）の上下方向の長さが変更されるものであり、
下切り取り片（６）は、台紙（２）の下辺に設けられ、下切り取り片（６）を切り取ることにより、台紙（２）の上下方向の長さが変更されるものであり、
台紙（２）の上部には凹部と左右の凸部とが形成されるものであり、この凹部は台紙の中央に形成されるものであり、この中央に形成される凹部によって、この凹部の左右に上記の左右の凸部が形成されるものであり、
上記の上切り取り片は、これらの左右の凸部のそれぞれに形成された切り取り線（５０）によって形成された切り取り片（５、５）を含むものであり、この左右の凸部のそれぞれに形成された切り取り線（５０）からこれらの切り取り片（５、５）を切り取ることによって、これらの左右の凸部の上下長さが短くなるものであり、
左右方向の長さを調整する調整手段（７、８）は、台紙の左辺と右辺にそれぞれ設けられ、この左右の調整手段（７、８）の調整幅が左右等しく設定されることにより、調整の前後において、集塵口（２１）が台紙の左右方向の中央に位置するものであり、
複数メーカーの複数機種の電気掃除機に設けられた集塵室の取り付け箇所に対して台紙（２）の１方向から装着できるようにしたことを特徴とする電気掃除機用の多機種共用型集塵袋。
【請求項２】
上記の台紙（２）の上切り取り片（３、４、５、５）は、左右方向に連続して形成された帯状の切り取り片（３、４）と、上記の左右の凸部に形成された切り取り片（５、５）を備え、
帯状の切り取り片（３、４）は、上記の左右の凸部に形成された切り取り片（５、５）の上方に切り取り線（４０）を介してつながっているものであることを特徴とする請求項１記載の電気掃除機用の多機種共用型集塵袋。
【請求項３】
上記の下切り取り片（６）と台紙（２）本体との間に切り取り線（６０）が形成され、この切り取り線（６０）は、左右方向の中央が上方に膨出して形成されており、この切り取り線（６０）を切り取ることによって、左右両端に下方に突出した凸部（６１、６１）が形成され、凸部（６１、６１）間が凹部となるものであることを特徴とする請求項１又は２に記載の電気掃除機用の多機種共用型集塵袋。
【請求項４】
台紙（２）の上辺における調整手段は、第１、第２、第３の上切り取り片（３、４、５、５）を備え、
第１上切り取り片（３）は、帯状部分であり、
第２上切り取り片（４）は、帯状部分であり、上辺が第１上切り取り片３と切り取り線（３０）を介してつながっており、
第３上切り取り片（５、５）は、上記の左右の凸部に形成された切り取り片（５、５）であり、上辺が第２上切り取り片（４）と切り取り線（４０）を介してつながっていることを特徴とする請求項１〜３の何れかに記載の電気掃除機用の多機種共用型集塵袋。
【請求項５】
左右方向の長さを調整する調整手段は、左切り取り片（７）と右切り取り片（８）であり、左切り取り片（７）は台紙（２）の左辺に設けられ、右切り取り片（８）は台紙（２）の右辺に設けられたものであることを特徴とする請求項１〜４の何れかに記載の電気掃除機用の多機種共用型集塵袋。
【発明の詳細な説明】
【０００１】
【発明の属する技術分野】
本願発明は、電気掃除機用の多機種共用型集塵袋に関するものである。
【０００２】
【従来の技術】
従来から、使い捨て用の電気掃除機用集塵袋が知られている。この従来の電気掃除機用集塵袋は、一般に、前面に開口部を有する袋本体と、電気掃除機に着脱自在に取り付ける厚紙からなる板状の台紙とを備え、袋本体の開口部と台紙の集塵口とを合致させて、両者を接着したものである。袋本体は、偏平に折り畳まれて台紙の裏面に配位された状態で電気掃除機に装着され、電気掃除機の作動時に、台紙から広がるようにされる。
この種の従来の集塵袋は、台紙より上下左右が大きな袋本体を、上下に襠を付ける等して見かけ上の上下の長さを小さくし、さらに、左右の折り込み部を台紙裏面側に折り畳んだものである。そして、使用に際しては、電気掃除機に設けた集塵室の取付部に、台紙を取り付けることにより、電気掃除機用集塵袋を集塵室に装着できるとともに、電気掃除機の吸引作用に伴って袋本体が集塵室の内壁まで膨らむ。
【０００３】
そして、各社共用タイプの集塵袋にあっては、掃除機の機種によって、集塵室の取付部の形状、位置、大きさ等は様々であるため、図９に示すように、台紙１０１に切り取り片１０２、１０３、１０４や切り込み１０５、１０６、１０７や貫通穴等々を複数箇所に設け、使用者が台紙に設けられた切り取り線から切り取り片を折り取って、集塵室の取付部に装着している。
ところが、従来の切り取り片は、上下方向の長さを変更することを主目的としており、上下方向と左右方向の双方の長さを変更することができなかった。また、上下方向に限っても、２又は３種類程度に長さを変更することができるに止まっていた。そのため、図９（Ａ）（Ｂ）（Ｃ）の場合には、上記の切り取り片等を切り取り、台紙１０１の下方を装着方向にして、下辺側から集塵室に装着するが、図９（Ｄ）の場合には、装着方向へ右方向にして、右辺側から装着する必要が生ずる。
このように機種によって、装着方向が異なる結果、使用者が間違って装着してしまう場合が発生しやすく、無用な消費者からのクレームに対応する必要が生じてしまう。また、台紙の装着方向を９０度回転させるため、装着された袋本体と集塵室との関係も９０度回転することになる。特に、台紙の右辺側から取り付ける場合には、台紙の右辺から突出した袋本体１２０の折り返し部が邪魔になり、その折り返し部を後方側に折り曲げるようにして行わなければならず、取り付けが面倒で時間を要してしまう。又、使用者が、その取り付けに際し、誤って折り返し部を台紙と共に掃除機の取付部に挟みこんでしまい、袋本体を集塵室内で膨らませることができなくなってしまう。
【０００４】
【発明が解決しようとする課題】
本願発明は、電気掃除機用の多機種共用型集塵袋にあって、より多くの機種に対しても、１つの方向のみから装着できるようにし、使用者の不便を解消し、装着に際する間違いや事故の発生を防止せんとするものである。
【０００５】
【課題を解決するための手段】
そこで本願の請求項１の発明は、前面側に開口部を有する袋本体１と、集塵口２１を有する台紙２とを備え、袋本体１と台紙２とが、両者の開口部と集塵口２１とを位置合わせして、取付けられ、台紙２を複数メーカーの複数機種の電気掃除機に設けられた集塵室の取り付け箇所に着脱自在に装着して使用できるようにした電気掃除機用の多機種共用型集塵袋において、上下方向の長さを調整する調整手段３、４、５、５、６が台紙の上辺と下辺にそれぞれ設けられ、左右方向の長さを調整する調整手段７、８が台紙の左辺と右辺にそれぞれ設けられ、上下方向の長さを調整する調整手段は、上切り取り片３、４、５、５と下切り取り片６であり、上切り取り片３、４、５、５は、台紙２の上辺に複数個が上下方向に順次設けられ、各上切り取り片３、４、５、５を順次切り取ることにより、台紙２の上下方向の長さが変更されるものであり、下切り取り片６は、台紙２の下辺に設けられ、下切り取り片６を切り取ることにより、台紙２の上下方向の長さが変更されるものであり、台紙２の上部には凹部と左右の凸部とが形成されるものであり、この凹部は台紙の中央に形成されるものであり、この中央に形成される凹部によって、この凹部の左右に上記の左右の凸部が形成されるものであり、上記の上切り取り片は、これらの左右の凸部のそれぞれに形成された切り取り線５０によって形成された切り取り片５、５を含むものであり、この左右の凸部のそれぞれに形成された切り取り線５０からこれらの切り取り片５、５を切り取ることによって、これらの左右の凸部の上下長さが短くなるものであり、左右方向の長さを調整する調整手段７、８は、台紙の左辺と右辺にそれぞれ設けられ、この左右の調整手段７、８の調整幅が左右等しく設定されることにより、調整の前後において、集塵口２１が台紙の左右方向の中央に位置するものであり、複数メーカーの複数機種の電気掃除機に設けられた集塵室の取り付け箇所に対して台紙２の１方向から装着できるようにしたことを特徴とする電気掃除機用の多機種共用型集塵袋を提供する。
本願の請求項２に係る発明は、上記の台紙２の上切り取り片３、４、５、５は、左右方向に連続して形成された帯状の切り取り片３、４と、上記の左右の凸部に形成された切り取り片５、５を備え、帯状の切り取り片３、４は、上記の左右の凸部に形成された切り取り片５、５の上方に切り取り線４０を介してつながっているものであることを特徴とする請求項１記載の電気掃除機用の多機種共用型集塵袋を提供する。
本願の請求項３に係る発明は、上記の下切り取り片６と台紙２本体との間に切り取り線６０が形成され、この切り取り線６０は、左右方向の中央が上方に膨出して形成されており、この切り取り線６０を切り取ることによって、左右両端に下方に突出した凸部６１、６１が形成され、凸部６１、６１間が凹部となるものであることを特徴とする請求項１又は２に記載の電気掃除機用の多機種共用型集塵袋を提供する。
本願の請求項４に係る発明は、台紙２の上辺における調整手段は、第１、第２、第３の上切り取り片３、４、５、５を備え、第１上切り取り片３は、帯状部分であり、第２上切り取り片４は、帯状部分であり、上辺が第１上切り取り片３と切り取り線３０を介してつながっており、第３上切り取り片５、５は、上記の左右の凸部に形成された切り取り片５、５であり、上辺が第２上切り取り片４と切り取り線４０を介してつながっていることを特徴とする請求項１〜３の何れかに記載の電気掃除機用の多機種共用型集塵袋を提供する。
本願の請求項５に係る発明は、左右方向の長さを調整する調整手段は、左切り取り片７と右切り取り片８であり、左切り取り片７は台紙２の左辺に設けられ、右切り取り片８は台紙２の右辺に設けられたものであることを特徴とする請求項１〜４の何れかに記載の電気掃除機用の多機種共用型集塵袋を提供する。
【０００６】
【発明の実施の形態】
以下、図面に基づき本願発明の実施の形態を説明する。
【０００７】
この実施の形態に係る多機種共用型集塵袋は、図１に示すように、前面側に開口部（図示せず）を有する袋本体１と、中央に集塵口２１を有する台紙２とを備える。この袋本体１と台紙２とは、両者の開口部と集塵口２１とを位置合わせして、接着されている。袋本体１の材質は、特に限定されず、柔軟性、通気性を有する濾材を使用でき、例えば合成繊維、パルプ、合成樹脂、合成ゴム、或いは金属等を素材とし、紙、不織布、織布、フィルムやシート等にしたものを単独又は積層して形成できる、また、必要に応じて、抗菌剤や芳香剤を含浸させておいてもよい。袋本体１は、上下に複数の襠を形成して、左右に長く折り畳まれた状態で台紙２の後面側に取り付けられており、さらに、袋本体１の左右両側を台紙２の後面側に折り返して、コンパクトな状態にして出荷され、電気掃除機に装着される。台紙２は、電気掃除機の取付部に取り付けて全体を支持できる強度があればよく、厚紙が一般的ではあるが、合成樹脂シート等の他の材質に変更したり、複数種類の材質のものを積層して使用することも可能である。
【０００８】
この台紙２は、全体が略４角形（幾何学的に４角形でなくとも、上下左右の４方向の区別が付けばよい）をなすと共に、その周囲の４方向に切り取り片が設けられている。
より詳しくは、台紙２の上辺に第１、第２、第３の上切り取り片３、４、５、５が、台紙２の下辺に下切り取り片６が、台紙２の左辺に左切り取り片７が、台紙の右辺に右切り取り片８が設けられている。そして、さらに集塵口２１の周囲には、集塵口切り取り片９が設けられている。各切り取り片は、切り取り線によって規定され、使用者が手で引っ張ることにより、折り取ることができるようになっている。
【０００９】
第１上切り取り片３は、台紙２の左右辺間の長さに等しい長さを持つ帯状部分であり、２つの切り込み３１、３１が形成されている。
第２上切り取り片４は、台紙２の左右辺間の長さに等しい長さを持つ帯状部分であり、上辺が第１上切り取り片３と切り取り線３０を介してつながっている。この切り取り線３０は直線状をなし、この切り取り線３０から第１上切り取り片３を折り取ることによって、第２上切り取り片４の直線状の上辺が現れる。
この第２上切り取り片４の下辺側にも切り取り線４０が形成され、この下辺側には、中央と左右両端に、下方に張り出した突出部４１、４２、４３が形成されている。従って、第２上切り取り片４を切り取り線４０から折り取ることによって、台紙には、中央と左右両端に凹部が形成され、これらの凹部間に２つの凸部が形成されることとなる。
第３上切り取り片５、５は、上記の２カ所の凸部に形成されたもので、凸部の上下方向の中程に形成された、切り取り線５０によって、区画形成される。この切り取り線を折り取ることによって、凸部の上下長さが短くなることとなる。
【００１０】
下切り取り片６は、台紙２の左右両側を残して、下方に突出された突出片６である。そして、下切り取り片６と台紙２本体との間に折り取り用の切り取り線６０が形成されている。この切り取り線６０は、左右方向の中央が上方に膨出して形成されており、この切り取り線６０をから折り取ることによって、両端に下方に突出した凸部６１、６１が形成され、凸部６１、６１間が凹部となる。
なお、この下切り取り片６には、装着方向を示すために矢印６２が切り抜きによって形成されている。
【００１１】
左切り取り片７と右切り取り片８とは左右対称に形成されたもので、台紙２の左右両辺の下半分に設けられ、台紙２本体とは直線状の切り取り線７０、８０によって区画されている。
この左右の切り取り片７、８は、切り取り前後の調整幅が左右等しくなるよう設定すればよく、必ずしも対称に設ける必要はない。例えば、左切り取り片７を左上に設け、右切り取り片８を右下や中央に設けると言ったことも可能である。また、上下方向の長さを、左右で異なるようにしてもよい。
【００１２】
集塵口切り取り片９は、集塵口２１の全周に渡って設けられたもので、円形の切り取り線９０によって、区画形成されている。但し、この集塵口切り取り片９は、省略して実施することも可能である。
【００１３】
以下、上記の台紙２を各社の掃除機に適合するように切り取り片を折り取る例を示す。
【００１４】
図２
除去する切り取り片…下切り取り片６、集塵口切り取り片９。
【００１５】
図３
除去する切り取り片…第１上切り取り片３、下切り取り片６、集塵口切り取り片９。
【００１６】
図４
除去する切り取り片…第１上切り取り片３、第２上切り取り片４、第３上切り取り片５、下切り取り片６。
【００１７】
図５
除去する切り取り片…第１上切り取り片３、第２上切り取り片４、第３上切り取り片５、下切り取り片６、集塵口切り取り片９。
【００１８】
図６
除去する切り取り片…第１上切り取り片３、第２上切り取り片４、左切り取り片７、右切り取り片８。
【００１９】
図７
除去する切り取り片…第１上切り取り片３、第２上切り取り片４、左切り取り片７、右切り取り片８、集塵口切り取り片９。
【００２０】
上記のように、この実施の形態に係る集塵袋は、上下方向のみならず、左右方向においても、切り取り片を設け、これを選択的に折り取ることによって、上下左右の長さを調整できる台紙を備えたものであるため、台紙を回転させなくても、装着方向を１方向（図の場合は、いずれも下方向）のみとすることが出来るものである。しかも、上下方向には４つの切り取り片を設け、台紙の上辺と下辺とのそれぞれに切り取り片を設けているため、調整できる上下長さの種類は、上辺側の切り取り片の除去により変更される上下長さの種類と、下辺側の切り取り片の除去により変更される上下長さの種類との乗数となる。そして、これに左右の切り取り片の除去により変更される長さの種類を乗ずることにより、台紙の大きさ、すなわち、上下左右の長さが、変更されることとなる。
具体的には、上記の実施の形態の場合、上切り取り片３、４、５の除去により変更される上下長さの種類は「４」、下切り取り片６の除去により変更される上下長さの種類は「２」となり、４×２＝８の８段階の調整が可能となる。さらに、左右の切り取り片７、８の除去により変更される長さの種類は「２」であるため、４×２×２＝１６通りとなり、多数の台紙の大きさに変更することができる。
なお、上下の切り取り片の数を２つずつとすると、上辺側で３段階、下辺側で３段階となり、上下方向は９段階の変更が可能である等、上下左右に設ける切り取り片の数は、適宜変更して実施し得るものである。
【００２１】
なお、切り取り線３０、４０、５０、６０、７０、８０、９０は、通常の切り取り線とすることもできるが、図８（Ａ）に示すように、２種の線を組み合わせて形成することが望ましい。すなわち、切り取り線３０を例に取ると、第１上切り取り片３が切り取られて除去される除去部となり、第２上切り取り片４が台紙側に残る残留部となる。そして、切り取り線３０を、除去部３側に近い位置に設けた除去側線１１と、残留部４に近い側に設けた残留側線１２との組み合わせにより構成し、除去側線１１を台紙表裏を関する貫通した線とする一方、残留側線１２は、台紙の表裏を貫通した貫通部１３と、表裏を貫通していない非貫通部１４との組み合わせにより構成する。これにより、除去部（第１上切り取り片３）を切り取り線３０から折り取る際、除去側線１１には折り取りによってもヒゲが発生せず、残留側線１２の非貫通部１４にのみヒゲｈが発生する。このヒゲｈは、電機掃除機の取付部に装着する際、上下左右の長さを不均一にしたり、装着性を悪くする原因となるが、この場合、除去側線１１は予め貫通しているため、ヒゲが発生しない。その結果、掃除機の取付部には、主としてきれいな切断面となっている除去側線１１のみが接するため、上下左右の長さは実質的に均一に保たれ、装着性が悪くなることも防止される。
【００２２】
さらに、上記の実施の形態にあっては、調整手段を、台紙に切り取り線を形成した切り取り片として実施したが、長さを調整できるものであればよく、例えば、台紙に折り目線を設け、この折り目線によって区画された折り曲げ片として実施することもできる。また、調整手段と、各電器メーカーの掃除機との対応関係を示すために、調整手段（切り取り片、切り取り線、折り曲げ片、折り目線等）に、符号を付したり、異なる色で着色をしたりする等、機種別の表示を付しておくことも望ましい。
【００２３】
【発明の効果】
以上、本願発明は、電気掃除機用の多機種共用型集塵袋にあって、より多くの機種に対しても、１つの方向のみから装着できるようにし、使用者の不便を解消し、装着に際する間違いや事故の発生を防止することができたものである。さらに、請求項３の発明にあっては、左右方向における台紙大きさの調整の前後にかかわらず、集塵口２１を、台紙の左右方向の中央に位置させることができ、掃除機に設けられた集塵口と台紙の集塵口との位置合わせが確実となり、集塵中の塵の漏れを防止できる。
【図面の簡単な説明】
【図１】本願発明の実施形態に係る電気掃除機用の多機種共用型集塵袋の斜視図である。
【図２】同電気掃除機用の多機種共用型集塵袋における台紙の使用状態の説明図である。
【図３】同電気掃除機用の多機種共用型集塵袋における台紙の他の使用状態の説明図である。
【図４】同電気掃除機用の多機種共用型集塵袋における台紙の他の使用状態の説明図である。
【図５】同電気掃除機用の多機種共用型集塵袋における台紙の他の使用状態の説明図である。
【図６】同電気掃除機用の多機種共用型集塵袋における台紙の他の使用状態の説明図である。
【図７】同電気掃除機用の多機種共用型集塵袋における台紙の他の使用状態の説明図である。
【図８】（Ａ）は同台紙の切り取り線の平面図であり、（Ｂ）は切断後の切り取り線の平面図である。
【図９】従来の台紙の使用状態の説明図である。
【図１０】従来の台紙の他の使用状態の説明図である。
【図１１】従来の台紙のさらに他の使用状態の説明図である。
【図１２】従来の台紙のさらに他の使用状態の説明図である。
【符号の説明】
１    袋本体
２１  集塵口
２    台紙
３    第１上切り取り片
３０  切り取り線
４    第２上切り取り片
４０  切り取り線
５    第３上切り取り片
５０  切り取り線
６    下切り取り片
６０  切り取り線
７    左切り取り片
７０  切り取り線
８    右切り取り片
８０  切り取り線
９    集塵口切り取り片
９０  切り取り線
【図１】
0003584244.tif 000002
【図２】
0003584244.tif 000003
【図３】
0003584244.tif 000004
【図４】
0003584244.tif 000005
【図５】
0003584244.tif 000006
【図６】
0003584244.tif 000007
【図７】
0003584244.tif 000008
【図８】
0003584244.tif 000009
【図９】
0003584244.tif 000010
【図１０】
0003584244.tif 000011
【図１１】
0003584244.tif 000012
【図１２】
0003584244.tif 000013